(57)【要約】【課題】簡単な構造で、横目地のシール性能を高めることができる外壁目地のシール構造を得る。【解決手段】一階外壁パネル１４の上端部と二階外壁パネル１８の下端部との間には、金属板で構成された側面視で略ゼット形状の防水金物４２が配設されている。防水金物４２は一部品で構成されている。防水金物４２の中間部４２Ｂと二階外壁フレーム３８との間には横目地用二次シール材５２が介装されており、更にこれらの防水金物４２及び横目地用二次シール材５２に隣接して横目地用一次シール材５４が隣接して配置されている。従って、簡単な構造で、横目地２６のシール性能を高めることができる。【選択図】図１
2007278019.tif 000002
【特許請求の範囲】
【請求項１】
上階側外壁パネルの下端部と下階側外壁パネルの上端部との間に形成される横目地に適用される外壁目地のシール構造であって、
一部品で構成され、上端部が上階側外壁パネルの屋内側の面に固定されると共に中間部が上階側外壁パネルの下端部と下階側外壁パネルの上端部との隙間に介在され、下端部が下階側外壁パネルの上端部の屋外側の面に沿って下方へ屈曲された防水シール材を備えている、
ことを特徴とする外壁目地のシール構造。
【請求項２】
前記防水シール材の中間部と上階側外壁パネルの下端部との間には、シート状の横目地用二次シール材が両者に密着した状態で介在されている、
ことを特徴とする請求項１記載の外壁目地のシール構造。
【請求項３】
前記防水シール材の下端部の屋外側には、定型シールで構成された横目地用一次シール材が隣接して配置されている、
ことを特徴とする請求項１又は請求項２記載の外壁目地のシール構造。
【請求項４】
横方向に隣接する外壁パネル間に形成される縦目地には定型シールで構成された縦目地用一次シール材が配設されており、
当該縦目地と前記横目地とのジョイント部では、縦目地用一次シール材が前記防水シール材の下端部の屋外側に隣接して配置されている、
ことを特徴とする請求項１乃至請求項３のいずれか一項に記載の外壁目地のシール構造。
【請求項５】
横方向に隣接する外壁パネルの一対の防水シール材のジョイント部には、双方の防水シール材に跨る補強部材が配設されている、
ことを特徴とする請求項１乃至請求項４のいずれか一項に記載の外壁目地のシール構造。
【発明の詳細な説明】
【技術分野】
【０００１】
本発明は、外壁目地のシール構造に関する。
【背景技術】
【０００２】
外壁目地のシール材には、定型シールと不定形シールとがある。また、シール構造的には、一次シール材だけを設定する場合もあるが、シール性能を高めるために一次シール材だけでなく二次シール材を設定することも多い。
【０００３】
従来では、縦目地に定型シールを使い、横目地に不定形シールとシールバッカとを併設する手法が一例として採用されていたが、不定形シールは耐久性が定型シールよりも劣り、いずれはシール切れとなるため、補修する必要がある。
【０００４】
一方、下記特許文献１には、横目地の一次シール材として一種の胴差しを利用し、更に下階側の外壁パネルの上端部に水受け部材を掛け渡した上で弾性シール材を二箇所に設定する外壁目地のシール構造が開示されている。
【特許文献１】特開２００３−２５３７７７号公報
【発明の開示】
【発明が解決しようとする課題】
【０００５】
しかしながら、上記先行技術による場合、一次シール材が横目地取付材と横目地部材との嵌合構造とされているため、構造が複雑であると共に継ぎ目のシール性能を確保することが難しい。また、二次シール材として弾性シール材を屋外側と屋内側の二箇所に設定しているが、経年劣化によりシール性能が低下する可能性がある。さらに、一次シール材と二次シール材との間に比較的広い空間が形成されるため、この空間が負圧になると、雨水が浸入し易くなる。従って、よりシール性能が高いシール構造の案出が望まれていた。
【０００６】
本発明は上記事実を考慮し、簡単な構造で、横目地のシール性能を高めることができる外壁目地のシール構造を得ることが目的である。
【課題を解決するための手段】
【０００７】
請求項１の発明は、上階側外壁パネルの下端部と下階側外壁パネルの上端部との間に形成される横目地に適用される外壁目地のシール構造であって、一部品で構成され、上端部が上階側外壁パネルの屋内側の面に固定されると共に中間部が上階側外壁パネルの下端部と下階側外壁パネルの上端部との隙間に介在され、下端部が下階側外壁パネルの上端部の屋外側の面に沿って下方へ屈曲された防水シール材を備えている、ことを特徴とする。
【０００８】
請求項２の発明は、請求項１記載の外壁目地のシール構造において、前記防水シール材の中間部と上階側外壁パネルの下端部との間には、シート状の横目地用二次シール材が両者に密着した状態で介在されている、ことを特徴とする。
【０００９】
請求項３の発明は、請求項１又は請求項２記載の外壁目地のシール構造において、前記防水シール材の下端部の屋外側には、定型シールで構成された横目地用一次シール材が隣接して配置されている、ことを特徴とする。
【００１０】
請求項４の発明は、請求項１乃至請求項３のいずれか一項に記載の外壁目地のシール構造において、横方向に隣接する外壁パネル間に形成される縦目地には定型シールで構成された縦目地用一次シール材が配設されており、当該縦目地と前記横目地とのジョイント部では、縦目地用一次シール材が前記防水シール材の下端部の屋外側に隣接して配置されている、ことを特徴とする。
【００１１】
請求項５の発明は、請求項１乃至請求項４のいずれか一項に記載の外壁目地のシール構造において、横方向に隣接する外壁パネルの一対の防水シール材のジョイント部には、双方の防水シール材に跨る補強部材が配設されている、ことを特徴とする。
【００１２】
請求項１記載の本発明によれば、上階側外壁パネルの下端部と下階側外壁パネルの上端部との間に形成される隙間に防水シール材が設定される。防水シール材が設定された状態では、上端部が上階側外壁パネルの屋内側の面に固定されると共に中間部が上階側外壁パネルの下端部と下階側外壁パネルの上端部との隙間に介在され、下端部が下階側外壁パネルの上端部の屋外側の面に沿って下方へ屈曲される。従って、雨水等が横目地に浸入してきても、雨水等は上端部で堰き止められて中間部を伝って下端部から下階側外壁パネルの屋外側へと排水される。このように本発明によれば、横目地のシールが従来の不定形シールから定型シール化される。
【００１３】
また、上記防水シール材は一部品で構成されているため、従来の二部品の嵌合構造によるものと比べて構造が簡素化されると共に、部材の継ぎ目から雨水等が浸入するおそれもない。
【００１４】
請求項２記載の本発明によれば、防水シール材と下階側外壁パネルの下端部との間にシート状の横目地用二次シール材が両者に密着した状態で介在されるので、この時点で外壁横目地の二次シールが二重化される。
【００１５】
請求項３記載の本発明によれば、防水シール材の下端部の屋外側には定型シールで構成された横目地用一次シール材が隣接して配置されているため、横目地用一次シール材と防水シール材とで一次シールと二次シールとを備えた二重シール構造が成立する。また、請求項２記載の発明に本発明を適用した場合には、二次シール自体が二重になるので、トータルすると三重シール構造が成立する。
【００１６】
請求項４記載の本発明によれば、横方向に隣接する外壁パネル間に形成される縦目地に定型シールで構成された縦目地用一次シール材が配設されるので、縦目地及び横目地のいずれも定型シール化される。
【００１７】
さらに、本発明では、縦目地と横目地とのジョイント部では、縦目地用一次シール材が防水シール材の下端部の屋外側に隣接して配置されるので、ジョイント部におけるシール材の納まりを良くすることができる。
【００１８】
請求項５記載の本発明によれば、横方向に隣接する外壁パネルの一対の防水シール材のジョイント部に、双方の防水シール材に跨る補強部材を配設したので、横方向に隣接する防水シール材が縦目地で途切れない。
【発明の効果】
【００１９】
以上説明したように、請求項１記載の外壁目地のシール構造は、簡単な構造で、横目地のシール性能を高めることができるという優れた効果を有する。
【００２０】
請求項２記載の本発明に係る外壁目地のシール構造は、外壁横目地の二次シールが二重化されるので、シール性能を向上させることができるという優れた効果を有する。
【００２１】
請求項３記載の本発明に係る外壁目地のシール構造は、横目地を二重又は三重にシールすることができ、シール性能をより一層向上させることができるという優れた効果を有する。
【００２２】
請求項４記載の本発明に係る外壁目地のシール構造は、縦目地及び横目地に配設されるシール材の耐久性を向上させることができ、しかも縦目地と横目地のジョイント部の外観品質を向上させることができるという優れた効果を有する。
【００２３】
請求項５記載の本発明に係る外壁目地のシール構造は、防水シール材によるジョイント部のシール性能を補強することができるという優れた効果を有する。
【発明を実施するための最良の形態】
【００２４】
以下、図１〜図６を用いて、本発明に係る外壁目地のシール構造の一実施形態について説明する。
【００２５】
図３には、本実施形態に係る外壁目地のシール構造が適用された住宅の概略正面図が示されている。また、図１には横目地の一般部のシール構造を示す縦断面図が示されている。さらに、図２には横目地と縦目地のジョイント部のシール構造を示す縦断面図が示されている。
【００２６】
これらの図に示されるように、住宅１０の一階部分１２の外周部には所定枚数の一階外壁パネル１４が隣接して配置されており、又住宅１０の二階部分１６の外周部には所定枚数の二階外壁パネル１８が隣接して配置されている。なお、住宅１０の屋根２０と二階部分１６の上端部との間にも屋根形状に合わせた外壁パネル２２が隣接して配置されるが、以下の説明においては、専ら、一階外壁パネル１４と二階外壁パネル１８との関係において、外壁目地のシール構造について説明することにする。
【００２７】
隣接する一階外壁パネル１４同士の間及び隣接する二階外壁パネル１８同士の間に形成され、建物高さ方向に延在する溝が縦目地２４であり、又一階外壁パネル１４の上端部と二階外壁パネル１８の下端部との間に形成され、建物横方向に延在する溝が横目地２６である。
【００２８】
（横目地２６の一般部のシール構造）
図１に示されるように、一階外壁パネル１４は、矩形平板状の一階外壁材２８と、この一階外壁材２８の屋内側に配置されて一階外壁材２８を支持する一階外壁パネル本体３０と、を備えている。なお、一階外壁材２８の上端部は、一階外壁パネル本体３０の上端部よりも若干下方へオフセットされている。同様に、二階外壁パネル１８は、矩形平板状の二階外壁材３２と、この二階外壁材３２の屋内側に配置されて二階外壁材３２を支持する二階外壁パネル本体３４と、を備えている。
【００２９】
上記一階外壁パネル本体３０の上端部には断面形状が下向きのコ字状とされた一階外壁フレーム３６が配置されており、これと対向するかたちで二階外壁パネル本体３４の下端部には断面形状が上向きのコ字状とされた二階外壁フレーム３８が所定の隙間４０をあけて配置されている。この隙間４０には、断面形状が略Ｚ形状（或いはＬ字形状）に形成された金属製の防水金物（胴差部水切り）４２が配設されている。なお、防水金物４２は、薄い金属板で構成されている。
【００３０】
図１及び図４に示されるように、防水金物４２は一部品で構成されている。防水金物４２の上端部４２Ａは二階外壁フレーム３８の屋内側のフランジ部３８Ａと重なるように建物上方側へ延出されており、アングル状のブラケット４４と三枚重ねの状態にされてボルト４６及びウエルドナット４８によって二階外壁フレーム３８側に固定されている。なお、ブラケット４４は、一階外壁パネル１４の屋内側に配置されたＨ型鋼から成る天井大梁５０の上フランジ５０Ａに溶接等により固着されている。
【００３１】
また、防水金物４２の中間部４２Ｂは、一階外壁フレーム３６の上端部に載置されて当接した状態で配置されている。さらに、防水金物４２の下端部４２Ｃは、一階外壁フレーム３６の屋外側のフランジ部３６Ａに沿って建物下方側へ屈曲垂下されている。
【００３２】
また、防水金物４２の中間部４２Ｂと二階外壁フレーム３８の下端部との隙間４０には、防水金物４２の中間部４２Ｂの上面に貼着されたシート状の横目地用二次シール材５２が介在されている。なお、横目地用二次シール材５２は、ＥＰＤＭ等によって構成されており、所定の弾性を有している。従って、上下に対向して配置された一階外壁フレーム３６と二階外壁フレーム３８との隙間４０に、防水金物４２の中間部４２Ｂ及び横目地用二次シール材５２が介装された状態では、隙間４０は埋められて消失した状態となっている。なお、横目地用二次シール材５２の幅方向寸法は、防水金物４２の上端部４２Ａの屋外側の面から下端部４２Ｃの屋外側の面までの長さに設定されている。
【００３３】
また、一階外壁材２８の上端部と二階外壁材３２の下端部との間には、定型シールによって構成された横目地用一次シール材５４が、屋外側から屋内側へ向けて水平に挿入されて弾性変形した状態で嵌着されている。横目地用一次シール材５４は乾式の定形ガスケットによって構成されており、芯になる基部と基部の両側から延出されて一階外壁材２８の上端部及び二階外壁材３２の下端部に弾性的に圧接される複数のリップ部とを含んで構成されている。また、横目地用一次シール材５４は、防水金物４２の下端部４２Ｃの屋外側の面及び横目地用二次シール材５２の屋外側の端面に接するように隣接して配置されている。なお、図５に示されるように、予め工場内で、横目地用一次シール材５４を二階外壁材３２の下端部に図示しない取付手段によって取付けて、二階外壁パネル１８にサブアッセンブリ化してもよい。
【００３４】
（横目地２６のジョイント部のシール構造）
図２に示されるように、横目地２６と縦目地２４とが出合う（交差する）ジョイント部には、縦目地２４に弾性的に嵌着される縦目地用一次シール材５６が建物高さ方向に沿って連続して延在されている。縦目地用一次シール材５６は乾式の定形ガスケットによって構成されており、組付状態では縦目地用一次シール材５６は横目地２６の防水金物４２の下端部４２Ｃの屋外側の面及び横目地用二次シール材５２の屋外側の端面に当接されている。つまり、横目地用一次シール材５４の長手方向の端部は縦目地用一次シール材５６の側面に当接された状態で終端となっている。
【００３５】
なお、縦目地２４の屋内側には、縦目地用一次シール材５６と平行にシールバッカで構成された縦目地用二次シール材５８が配設されている。但し、縦目地用一次シール材５６と同様に定形ガスケットを使用してもよい。
【００３６】
一方、図６に示されるように、一階外壁パネル１４の上端部に配置された防水金物４２の長手方向寸法は一階外壁パネル１４の幅方向寸法に略一致しているため、隣接する一階外壁パネル１４の防水金物４２間には目地幅に相当する隙間６０が形成される。このため、本実施形態では、隣接する防水金物４２の長手方向の端部同士に跨るように、防水金物４２と同一断面形状の補強部材（補強用防水金物）６２が載置されている。これにより、横目地２６における防水金物４２の連続性を確保している。
【００３７】
（作用・効果）
次に、本実施形態の作用並びに効果について説明する。
【００３８】
図１を用いて組立手順を説明すると、まず最初に一階外壁パネル１４が組付けられる。一階外壁パネル１４の組付後、その上端部に防水金物４２をセットし、続いて防水金物４２の中間部４２Ｂの上面に横目地用二次シール材５２が取り付けられる。なお、横目地用二次シール材５２は防水金物４２の中間部４２Ｂの上面に予め取り付けておいてもよい。また、防水金物４２及び横目地用二次シール材５２の双方を予め工場内で一階外壁パネル１４の上端部に取り付けておいてもよい。
【００３９】
次に、二階外壁パネル１８が一階外壁パネル１４の上端部にセットされる。これにより、二階外壁パネル１８の自重によって横目地用二次シール材５２は厚さ方向に圧縮されて隙間４０が防水金物４２の中間部４２Ｂ及び横目地用二次シール材５２で埋められる。続いて、防水金物４２の上端部４２Ａがボルト４６及びウエルドナット４８によって二階外壁フレーム３８の屋内側のフランジ部３８Ａに固定される。
【００４０】
次に、横目地２６に横目地用一次シール材５４が押し込められて嵌着される。これにより、横目地２６の一次シール及び二次シールが完成する。なお、前述したように、予め横目地用二次シール材５２を二階外壁材３２の下端部に固定しておけば、一階外壁パネル１４への二階外壁パネル１８の組付と同時に横目地用一次シール材５４の組付が完了する。
【００４１】
ここで、本実施形態によれば、二階外壁パネル１８の二階外壁フレーム３８の屋内側のフランジ部３８Ａに上端部４２Ａが固定され、一階外壁パネル１４の上端部と二階外壁パネル１８の下端部との隙間４０に中間部５２Ｂが配置され、一階外壁フレーム３６の屋外側のフランジ部３６Ａの表面に沿って下端部４２Ｃが屈曲垂下された防水金物４２を配設したので、仮に雨水等が横目地２６から浸入してきても、雨水等は防水金物４２の上端部４２Ａで堰き止められて中間部５２Ｂを伝って下端部４２Ｃから一階外壁材２８の表面へと排水される。このように本実施形態によれば、横目地２６のシールが従来のコーキング材等を使った不定形シールから定型シール化される。
【００４２】
また、上記防水金物４２は一部品で構成されているため、特許文献１に開示されていたような二部品の嵌合構造による水切りに比べて構造が簡素化されると共に、部材の継ぎ目から雨水等が浸入するおそれもない。
【００４３】
上記より、本実施形態に係る外壁目地のシール構造によれば、簡単な構造で、横目地２６のシール性能を高めることができる。
【００４４】
さらに、本実施形態に係る外壁目地のシール構造によれば、以下に列挙する幾つかの効果が得られる。
【００４５】
防水金物４２の中間部４２Ｂの上面と二階外壁パネル１８の下端部との間にシート状の横目地用二次シール材５２を密着した状態で介在させたので、この時点で横目地２６の二次シールが二重化される。その結果、本実施形態によれば、横目地２６のシール性能を更に向上させることができる。
【００４６】
また、防水金物４２の下端部４２Ｃの屋外側に定型シールで構成された横目地用一次シール材５４が隣接して配置されるため、横目地用一次シール材５４と防水金物４２とで一次シールと二次シールとを備えた二重シール構造が成立する。さらに、前記の横目地用二次シール材５２を加えると、二次シール自体が二重になるので、トータルすると三重シール構造が横目地２６で成立することになる。その結果、横目地２６のシール性能をより一層向上させることができる。
【００４７】
さらに、縦目地２４にも定型シールで構成された縦目地用一次シール材５６（及び縦目地用二次シール材５８）が配設されるので、縦目地２４及び横目地２６のいずれも定型シール化される。従って、縦目地２４及び横目地２６のシールの耐久性を向上させることができる。
【００４８】
また、縦目地２４と横目地２６とが交差するジョイント部では、縦目地用一次シール材５６が防水金物４２の下端部４２Ｃの屋外側に隣接して配置されるので、ジョイント部における縦目地用一次シール材５６の納まりを良くすることができる。従って、縦目地２４と横目地２６のジョイント部の外観品質を向上させることができる。
【００４９】
加えて、横方向に隣接する一階外壁パネル１４（又は二階外壁パネル１８）の上端部に配置された一対の防水金物４２のジョイント部に、双方の防水金物４２に跨る補強部材６２を配設したので、横方向に隣接する防水金物４２が縦目地２４で途切れない。従って、防水金物４２によるジョイント部のシール性能を補強することができる。
【００５０】
さらに、図１に示されるように、横目地２６の一般部では横目地２６の屋内側の隙間４０が防水金物４２及び横目地用二次シール材５２によって埋められて空きスペースが無くなるので、横目地用一次シール材５４の屋内側に負圧が生じ難い。従って、負圧が生じやすい従来構造に比べて、雨水等が横目地２６の屋内側に浸入し難い。よって、かかる観点からも、横目地２６のシール性能を向上させることができる。
【００５１】
〔実施形態の補足説明〕
上述した本実施形態では、防水シート材として薄い鉄板で構成された防水金物４２を用いたが、これに限らず、樹脂製にしてもよい。
【００５２】
また、上述した本実施形態では、隣接する防水金物４２の継ぎ目に連結部材６２を掛け渡す構成を採ったが、請求項１乃至請求項４までの本発明には、一方の防水金物を他方の防水金物側へ延設させて重ねた構成やブチルテープで継ぎ目が塞がるように接着する構成等も含まれる。
【図面の簡単な説明】
【００５３】
【図１】本実施形態に係る外壁目地のシール構造における横目地の一般部のシール構造を示す縦断面図（図３の１−１線断面図）である。
【図２】横目地と縦目地のジョイント部のシール構造を示す縦断面図（図３の２−２線断面図）である。
【図３】本実施形態に係る外壁目地のシール構造が適用された住宅の概略正面図である。
【図４】一階外壁パネルの上端部に防水金物及び横目地用二次シール材が配設された状態を拡大して示す斜視図である。
【図５】横目地用一次シール材を予め二階外壁パネルの下端部に取り付けてサブアッセンブリ化した状態を示す斜視図である。
【図６】隣接する防水金物間に補強金物を設置した状態を示す分解斜視図である。
【符号の説明】
【００５４】
１４      一階外壁パネル（下階側外壁パネル）
１８      二階外壁パネル（上階側外壁パネル）
２２      外壁パネル（上階側外壁パネル）
２４      縦目地
２６      横目地
４０      隙間
４２      防水金物（防水シール材）
４２Ａ      上端部
４２Ｂ      中間部
４２Ｃ      下端部
５２      横目地用二次シール材
５４      横目地用一次シール材
５６      縦目地用一次シール材
６２      補強部材
【図１】
2007278019.tif 000003
【図２】
2007278019.tif 000004
【図３】
2007278019.tif 000005
【図４】
2007278019.tif 000006
【図５】
2007278019.tif 000007
【図６】
2007278019.tif 000008